(57)【要約】【目的】  魚の待ち状態ではクランプユニットが外れにくく、魚が掛かった状態ではクランプユニットが外れやすくなる釣竿の着脱機構を開発すること。【構成】  クランプ本体(23)と該クランプ本体(23)に着脱自在に嵌合するヘッド部材(30)を有し、クランプ本体(23)とヘッド部材(30)のいずれか一方が釣竿(50)に取付可能に形成した釣竿の着脱機構(10)である。ヘッド部材(30)には、係止溝(39)を設け、クランプ本体(23)に操作レバー(40)とこの操作レバー(40)の操作に連動してヘッド部材(30)の軸方向と直角な方向に進退して係止溝(39)に係合する係止部材(17)を設けた。【選択図】    図２
2007236349.tif 000002
【特許請求の範囲】
【請求項１】
クランプ本体と該クランプ本体に着脱自在に嵌合するヘッド部材を有し、前記クランプ本体とヘッド部材のいずれか一方が釣竿に取付可能に形成した釣竿の着脱機構であって、
前記ヘッド部材には、係止溝を設け、
前記クランプ本体に操作レバーとこの操作レバーの操作に連動して前記ヘッド部材の軸方向と直角な方向に進退して前記係止溝に係合する係止部材を設けたことを特徴とする釣竿の着脱機構。
【請求項２】
前記係止部材は、クランプ本体に設けた開口部に差し込まれ、前記開口部に摺接することでヘッド部材の軸方向と直角な方向に進退するように前記開口部に支持されていることを特徴とする請求項１記載の釣竿の着脱機構。
【請求項３】
前記係止部材と操作レバーは、いずれか一方に設けた長孔に他方に設けたピンが前記長孔に沿って移動可能に差し込まれた状態で接続され、前記操作レバーの上下操作に連動して係止部材が進退することを特徴とする請求項１または請求項２記載の釣竿の着脱機構。
【請求項４】
前記操作レバーは、クランプ本体に回動可能に軸着したことを特徴とする請求項１乃至請求項３記載の釣竿の着脱機構。
【請求項５】
前記操作レバーは、クランプ本体に上下に移動可能に保持されていることを特徴とする請求項１乃至請求項３記載の釣竿の着脱機構。
【請求項６】
前記係止部材は、操作レバーの下方に設けられ、操作レバーの下方に突設した係止部材連結部に接続されていることを特徴とする請求項１乃至請求項５記載の釣竿の着脱機構。
【請求項７】
前記係止部材には、クランプ本体内部に入り込まないようにするためのストッパーを備えたことを特徴とする請求項１乃至請求項６記載の釣竿の着脱機構。
【発明の詳細な説明】
【技術分野】
【０００１】
本発明は、釣竿の着脱機構の技術に関し、特に、着脱部分の緩みや外れにくくなることを防止するために適した技術に関する。
【背景技術】
【０００２】
背景技術について、図８に基づいて説明する。
図８（ａ）は、釣竿支持装置における釣竿の着脱機構を示す正面図である。この釣竿の着脱機構は、釣竿支持装置に固定される本体部と、その本体部にクランプ部（クランプユニット）が連結されている。そのクランプ部には、ヘッド部材が固定されており、このヘッド部材が本体部に挿入され、バネの付勢力によって係止爪がヘッド部材のヘッド溝を係止することで、クランプ部と本体部とが連結される。本体部には、釣り人が竿を着脱操作するための着脱レバーを備えている。
釣り人がその着脱レバーを回動させると、この着脱レバーに一体成形された係止爪がヘッド部材のヘッド溝の係止を解除し、クランプ部が本体部から外れる。
【０００３】
また、図８（ｂ）には、クランプ部と本体部とを一体成型し、ヘッド部材を釣竿支持装置側に固定した釣竿の着脱機構である。図８（ａ）と同様に、常態においてはバネの付勢力によってヘッド溝を係止爪が係止している。そして、着脱レバーを回動させることによって係止爪がヘッド溝の係止を解除し、クランプ部及び本体部が釣竿支持装置から外れるように形成されている。
【０００４】
また、特許文献１に該当するような技術もある。この技術は、釣竿支持具の本体に垂直方向に回動自在に枢着された係止杆と、釣竿に取着され該係止杆に着脱自在に設けられた係止筒とからなる釣竿支持具の釣竿固定装置に係る技術である。
前記係止杆は、該係止杆の枢着軸と直交する方向に設けられた円柱状のピストン部と、ピストン部の周面に周方向に設けられた環状の凹溝とを有する。また、前記係止筒は、係止杆のピストン部を回動自在に嵌挿させるシリンダー部と、シリンダー部の周壁に設けられた透孔と、係止筒の一部に設けられたストッパー片とを有する。そのストッパー片は、該ストッパー片の一端に設けられた係止筒の透孔を介してピストン部の凹溝内に挿入される爪部と、ストッパー片の他端から延設されると共に、前記釣竿に近接するよう設けられている。また、このストッパー片を引くことによって爪部を上記凹溝から抜脱させるトリガーとを備えている。
【０００５】
【特許文献１】実開平０１−１０５４７５号公報
【発明の開示】
【発明が解決しようとする課題】
【０００６】
しかしながら、従来の釣竿の着脱機構では、回動可能に軸支した着脱レバーに設けた爪（係止部材）がヘッド部材の溝に係合するようになっていたため、着脱レバーを引き上げ回動すると爪（係止部材）も着脱レバーの軸を中心に弧を描いて進退するため、魚の当たりを待っている状態では、ヘッド部材の溝に爪（係止部材）を差し込んだ状態から船の振動等により爪（係止部材）の係合が緩むことがあった。
【０００７】
また、魚が掛かった時は、釣竿の先端側が引き込まれると釣竿後端側が上方に持ち上げられるようになるため、着脱レバーを引き上げ回動すると爪（係止部材）も着脱レバーの軸を中心に弧を描いて進退する。このため、爪（係止部材）でヘッド部材を１度押し下げることとなる。したがって、魚が掛かった荷重に抗して着脱レバーを引いて爪（係止部材）を溝から外しにくくなることがあった。
【０００８】
また、特許文献１に記載の技術は、着脱レバーに相当するトリガーと、係止爪に相当する爪部とが一体成型されていることで、トリガーを回転させるための支軸と爪部との位置関係によっては相互が緩衝するという問題が生じてしまっていた。
【０００９】
本発明が解決しようとする課題は、魚の当たりを待っている状態では、ヘッド部材の溝に差し込んだ状態から船の振動等により爪（係止部材）の係合が緩むことを解消し、また、魚が掛かった時は、魚が掛かった荷重に抗して操作レバーをひいても、爪（係止部材）は溝から外れにくくなるとともに、釣竿が取り外しにくくなることも解消される釣竿の着脱機構を開発することである。
【課題を解決するための手段】
【００１０】
（請求項１）
請求項１に記載の発明は、クランプ本体(23)と該クランプ本体(23)に着脱自在に嵌合するヘッド部材(30)を有し、前記クランプ本体(23)とヘッド部材(30)のいずれか一方が釣竿(50)に取付可能に形成した釣竿の着脱機構(10)に係る。
すなわち、前記ヘッド部材(30)には、係止溝(39)を設け、前記クランプ本体(23)に操作レバー(40)とこの操作レバー(40)の操作に連動して前記ヘッド部材(30)の軸方向と直角な方向に進退して前記係止溝(39)に係合する係止部材(17)を設けたことを特徴とする。
【００１１】
（作用）
図２から図６を参照して作用を説明する。
釣竿(50)を本願請求項に係る着脱機構(10)から外す場合には、釣り人が操作レバー(40)を、バネ部材(46)の付勢力よりも強い力で回動させる。すると、操作レバー(40)の操作に連動してヘッド部材(30)の軸方向と直角な方向に進退する係止部材(17)が、係止溝(39)から離れる方向に移動する。釣り人は、操作レバー(40)を操作する手とは反対側の手で釣竿(50)を持ち、取付部材(20)をクランプ本体(23)から引き抜く。
【００１２】
係止部材(17)をヘッド部材(30)の軸方向と直角な方向に進退する部材とし、その進退を操作する操作レバー(40)を係止部材(17)とは別部材として形成したので、魚の当たりを待っている状態では、ヘッド部材(30)の係止溝(39)に差し込んだ状態から船の振動等により係止部材(17)の係合が緩みにくくなる。また、魚が掛かった時は、魚が掛かった荷重に抗して操作レバー(40)をひけば、係止部材(17)が係止溝(39)から外れるので、釣竿(50)が取り外しやすくなる。このため、魚の待ち状態ではクランプユニットが外れにくく、魚が掛かった状態ではクランプユニットが外れやすくなる。
【００１３】
なお、本請求項では、クランプ本体(23)またはヘッド部材(30)のいずれか一方が釣竿(50)に取り付けられている形態を示しており、ヘッド部材(30)が釣竿(50)に取り付けられているバリエーションの具体例としては、次のようになる。
【００１４】
すなわち、図２、図３に示すように、釣竿(50)に取り付けられる略円柱形のヘッド部材(30)と、そのヘッド部材(30)を内包して着脱自在とする略円筒形のクランプ本体(23)とを備えることで釣竿(50)を着脱自在に形成した釣竿の着脱機構(10)である。
前記ヘッド部材(30)には、基端部(31)と先端部(32)とそれら基端部(31)および先端部(32)の間においてテーパ状をなして欠設した係止溝(39)とを備える。
前記クランプ本体(23)は、前記ヘッド部材(30)の基端部(31)の外周面に内接する内曲面を備えた円筒形をなす。また、前記ヘッド部材(30)の係止溝(39)に接することで係止するとともに前記ヘッド部材(30)の軸方向と直角な方向に進退可能な係止部材(17)と、その係止部材(17)の進退方向を上下方向の回動運動から水平方向のスライドに変更するための操作レバー(40)と、その操作レバー(40)を軸支する支軸(17d)に固定されることで係止部材(17)をヘッド溝(39)方向に付勢するバネ部材(46)とを備える。前記係止部材(17)と操作レバー(40)とは、係止部材(17)のピン(P)と、そのピン(P)を支持する操作レバー(40)に設けられた長孔(41b)とによって連結しており、その長孔(41b)は、係止部材(17)の進退方向と直角方向を長手方向とした。
【００１５】
一方、クランプ本体(23)が釣竿(50)に取り付けられているバリエーションの具体例としては、次のようになる。
すなわち、図５、図６に示すように、略円柱形のヘッド部材(30)と、そのヘッド部材(30)を内包して着脱自在とするとともに釣竿(50)に取り付けられる略円筒形のクランプ本体(23)とを備える釣竿の着脱機構(10B)である。
前記ヘッド部材(30)には、基端部(31)と先端部(32)とそれら基端部(31)および先端部(32)の間においてテーパ状をなして欠設した係止溝(39)とを備える。
前記クランプ本体(23)には、前記ヘッド部材(30)の係止溝(39)に接することで係止するとともに前記ヘッド部材(30)の軸方向と直角な方向に進退可能な係止部材(17)と、その係止部材(17)の進退方向を上下方向の回動運動から水平方向のスライドに変更するための操作レバー(40)と、その操作レバー(40)を軸支する支軸(17d)に取り付けられることで係止部材(17)をヘッド溝(39)方向に付勢するバネ部材(46)とを備える。前記係止部材(17)と操作レバー(40)とは、係止部材(17)のピン(P)と、そのピン(P)を支持する操作レバー(40)に設けられた長孔(41b)とによって連結しており、その長孔(41b)は、係止部材(17)の進退方向と直角方向を長手方向とした。
【００１６】
（請求項２）
請求項２に記載の発明は、請求項１記載の釣竿の着脱機構を限定したものであり、
前記係止部材(17)は、クランプ本体(23)に設けた開口部(23c)に差し込まれ、前記開口部(23c)に摺接することでヘッド部材(30)の軸方向と直角な方向に進退するように前記開口部(23c)に支持されていることを特徴とする。
【００１７】
（作用）
係止部材(17)を開口部(23c)に摺接するように差し込む。このようにすると、操作レバー(40)を操作しても係止部材(17)の回転方向運動を除くことができる。また、係止部材(17)の機能としては、魚の当たりを待っているときの釣竿にあまり負荷が掛かっていない状態でヘッド部材(30)とクランプ本体(23)が不用意に外れないようにし、魚が掛かったときの釣竿に負荷が掛かった状態でヘッド部材(30)とクランプ本体(23)を容易に外せるようにする必要がある。本請求項のように構成すれば、この二つの機能を達成することができる。
【００１８】
（請求項３）
請求項３に記載の発明は、請求項１または請求項２記載の釣竿の着脱機構を限定したものであり、
前記係止部材(17)と操作レバー(40)は、いずれか一方に設けた長孔(17a) (41b)に他方に設けたピン(P)が前記長孔(17a) (41b)に沿って移動可能に差し込まれた状態で接続され、前記操作レバー(40)の上下操作に連動して係止部材(17)が進退することを特徴とする。
【００１９】
（作用）
係止部材(17)の長孔(17a)または操作レバー(40)の長孔(41b)にピン(P)が差し込まれている。操作レバー(40)を上下に操作すると、その操作に連動して係止部材(17)がヘッド溝(39)から離れる方向に移動する。
【００２０】
（請求項４）
請求項４記載の発明は、請求項１または請求項３に記載の釣竿の着脱機構を限定したものであり、
前記操作レバー(40)は、クランプ本体(23)に回動可能に軸着したことを特徴とする。
【００２１】
（作用）
操作レバー(40)がクランプ本体(23)に軸着されているので、操作レバー(40)の動きがスムーズになり、釣竿を持ち上げる操作に合わせて操作レバー(40)の回動操作ができる。
なお、係止部材(17)と操作レバーのいずれか一方に設けた長孔は、上下方向に延びるように形成されていても良い。
【００２２】
（請求項５）
請求項５記載の発明は、請求項１から請求項４のいずれかに記載の釣竿の着脱機構を限定したものである。
前記操作レバー(40)は、クランプ本体(23)に上下に移動可能（スライド可能）に保持されていることを特徴とする。
【００２３】
（作用）
図７を参照して説明する。
操作レバー(40)をクランプ本体(23)に対して上下に移動可能な、例えばスライド式で操作可能とすれば、回転構造の操作レバー(40)よりも少ない移動量で係止部材(17)の係止状態を解除することができる。
なお、操作レバー(40)が、クランプ本体(23)に対して上下に移動すると、係止部材と操作レバーのいずれか一方に設けた長孔は、斜め方向に延びるように形成されていると動作がスムーズになるため望ましい。
【００２４】
（請求項６）
請求項６記載の発明は、請求項１乃至請求項５記載の釣竿の着脱機構を限定したものであり、
前記係止部材(17)は、操作レバー(40)の下方に設けられ、操作レバー(40)の下方に突設した係止部材連結部に接続されていることを特徴とする。
【００２５】
（作用）
係止部材(17)が係止部材連結部に接続されているので、操作レバー(40)を操作した場合に、係止部材(17)に効率的に力が伝達する。
【００２６】
（請求項７）
請求項７記載の発明は、請求項１乃至請求項６記載の釣竿の着脱機構を限定したものであり、
前記係止部材(17)には、クランプ本体(23)内部に入り込まないようにするためのストッパー(19)を備えたことを特徴とする。
【００２７】
（作用）
釣り人が操作レバー(40)を回動させた後には、バネ部材(46)の付勢により復帰動作が起こる。係止部材(17)に設けられたストッパー(19)は、この復帰動作に対してクランプ本体(23)の壁に当接する。その際、係止部材(17)がクランプ本体(23)の内部に入り込まないように抑止されることになる。
【発明の効果】
【００２８】
請求項１から請求項７に記載の発明によれば、魚の待ち状態ではクランプユニットが不用意に外れにくく、魚が掛かった状態ではクランプユニットを容易に外すことができる釣竿の着脱機構を提供することができた。
【発明を実施するための最良の形態】
【００２９】
本発明の実施の形態について、図面を参照させながら説明する。ここで使用する図面は、図１から図７である。図１は、釣竿支持装置の全体構造を示した正面図であり、図２は、着脱機構が連結状態の形態を示した正面断面図であり、図３は、着脱機構がクランプ本体から外れた形態を示した正面断面図であり、図４は、ヘッド部材と係止部材がヘッド溝で接地された状態を示した部分拡大図である。
【００３０】
これらの図で示すように、釣竿支持装置１は、船縁８０に取り付け固定される装置本体２と、釣竿５０に着脱自在に装着される着脱機構１０とからなる。装置本体２は基台３を備えている。この基台３には、万力７によって船縁８０にネジ巻き固定される固定部５と、着脱機構１０が着脱された装着部１１とがそれぞれ一体的に設けられている。また、基台３には、前方に向かって延びる腕部１３が設けられている。この腕部１３の前端には、釣竿５０を支持する略Ｕ字状の竿受部１５が設けられている。
【００３１】
着脱機構１０は、釣竿５０の周面に取り付けるとともに、クランプ本体２３に保持された取付部材２０と、その取付部材２０に固定され、基端部３１とヘッド部３２（先端部）とそれら基端部３１およびヘッド部３２の間においてテーパ状をなして欠設したヘッド溝３９（係止溝）を備えたヘッド部材３０と、そのヘッド部材３０のヘッド溝３９に接することで係止するとともに、ヘッド部材３０の軸方向と直角な方向に進退可能な係止可能な係止部材１７と、支軸１７ｄが差し込まれてクランプ本体２３に支持され、上下方向に回動可能で、この回動運動を係止部材１７の進退運動に変更する着脱レバー４０（操作レバー）と、係止部材１７をヘッド溝３９方向に付勢する渦巻きバネ部材４６とを備えて構成されている。
【００３２】
取付部材２０は、釣竿５０の周面を狭持する上側取付部材２０ａ及びその上側取付部材２０ａとは釣竿５０を介して対向配置された下側取付部材２０ｂから形成されている。そして、下側取付部材２０ｂにヘッド部材３０が固定されることで、全体としてクランプユニット４が形成されている。
【００３３】
上側取付部材２０ａと下側取付部材２０ｂには、それぞれ螺子杆２２が接触移動自在に取り付けられている（図２では、片側の螺子杆２２のみ図示している）。すなわち、ナット部材２１が、上側取付部材２０ａから下側取付部材２０ｂに設けられた貫通孔を通じて、螺子杆２２に螺合され、ナット部材２１を締め付けることで上側取付部材２０ａと下側取付部材２０ｂが互いに近づいて釣竿５０を狭持する。
【００３４】
（クランプ本体）
図２に示すように、装着部１１には、ヘッド部材３０の基端部３１の外周面に内接する内曲面を備えた円筒形のクランプ本体２３が固定されており、ヘッド部材３０を内包する周壁２４と、その周壁２４に連続した底壁２５からなり、内部がヘッド部材３０の嵌合部２３ｆとなっている。また、底壁２５の対向側には上側開口部２３ａを備え、この上側開口部２３ａからヘッド部材３０が嵌合部２３ｆに着脱自在に嵌合されることになる。
【００３５】
また、図３に示すように、周壁２４は、上側開口部２３ａの前方側と後方側の両壁が下側取付部材接地面２６ａ、２６ｂとして形成されており、この下側取付部材接地面２６ａ、２６ｂは、下側取付部材２０ｂの下端に対して隙間なく接地可能となっている。周壁２４には周壁開口部２３ｃを備え、底壁２５には下側開口部２３ｄを備えている。周壁開口部２３Ｃは周壁２４に貫通孔を設けることで形成しているが、その他に切り欠き状に形成しても良く、係止部材１７の嵌合部２３ｆ内への差し込みを可能とする導入部を形成していれば良い。
【００３６】
また、周壁２４の下側取付部材接地面２６ｂからは、突出壁部２３ｅが釣竿５０の延伸方向に突出されている。そしてこの突出壁部２３ｅに渦巻きバネ部材４６の一端が当接し、その他端は着脱レバー４０に当接し、その渦巻きバネ部材４６は、支軸１７ｄに回転可能に軸支した着脱レバー４０を下方に押圧するように付勢している。
【００３７】
（ヘッド部材）
次に、ヘッド部材３０の構成について図２から図４を参照して説明していく。
ヘッド部材３０は、基端部３１とヘッド部３２とそれら基端部３１およびヘッド部３２の間においてテーパ状をなして欠設したヘッド溝３９とを備える。
より具体的には、基端部３１は、下側取付部材２０ｂからクランプ本体２３側に向かって下方に突出されている。そして、その基端部３１に連続し、基端部３１の直径よりも幅狭に形成されたリンク部３３を備えている。このリンク部３３には、基端部３１と略同径に形成されたヘッド部３２が連続して固定されている。
【００３８】
図４に示すように、基端部３１は、リンク部３３に向かってテーパ状に形成されたテーパ部３１ａがリンク部３３に連続されている。また、基端部３１及びヘッド部３２の直径は、ヘッド部材３０がクランプ本体２３の嵌合部２３ｆに挿入された際に、ヘッド部材３０の挿入がスムーズになるように、上側開口部２３ａよりも若干小さく形成されている。
【００３９】
ヘッド部３２は、係止部材１７側の面を曲面とした半円部３２ａと、その半円部３２ａとは反対側となるリンク部３３に固定される平面部３２ｂとから構成され、全体として略半円球体に形成されている。また、ヘッド部３２は、クランプ本体２３に挿入されて係止された状態では、クランプ本体２３の内壁２３ｂに干渉しないよう、所定間域離されて配置される。
【００４０】
リンク部３３は、基端部３１とヘッド部３２との間を繋ぐ部材として形成されており、ヘッド部材３０のヘッド溝３９をなす。そして、このヘッド溝３９に係止部材１７が係止されることによって、ヘッド部材３０の上方への移動を抑止している。
【００４１】
（係止部材）
係止部材１７は、ヘッド部材３０のヘッド溝３９に接することで係止するとともに、ヘッド部材３０の軸方向と直角な方向に進退可能にクランプ本体２３に設けられている。すなわち、図４にも示すように、係止部材１７は、クランプ本体２３の周壁２４の後方側の突出壁部２３ｅの下方側に設けられた周壁開口部２３ｃに差し込まれて水平方向の姿勢を維持するように外周面が摺接しながら着脱レバー４０の操作に連動して水平方向（図２の矢印Ｘ側）にスライド可能に支持されている。
係止部材１７は、その外周面が互いに対向するクランプ本体２３の周壁開口部２３ｃの内周面に摺接しながら方向が案内されて移動する。これら互いに対向する面は、クランプ本体２３の嵌合部２３ｆに嵌合したヘッド部材３０の長手軸方向と直角な方向となる面で形成されている。なお、係止部材１７の外周面と周壁開口部２３ｃの内周面は、少なくともその一部が摺接するようになっていれば良い。そして、係止部材１７に設けられた孔１７ａに連結ピンＰ（接続部材）が連結され、この連結ピンＰを介して着脱レバー４０が連結されている。係止部材１７は、ヘッド部材３０の上方移動を抑止する係止爪１８を備えている。すなわち、係止爪１８がヘッド部材３０のヘッド溝３９に係止されることでヘッド部材３０が移動しないようになっている。
【００４２】
図３に示すように、係止爪１８は、係止部材１７が水平方向にスライド移動する際に、テーパ部３１ａに接触されるよう形成された係止爪テーパ１８ａと、平面部３２ｂに接触されるように形成された係止爪底辺１８ｂとからなり、係止爪全体としては略楔状に形成されている。
【００４３】
この係止爪１８は、ヘッド部材３０側の面が先細りとなる楔状に形成されているので、クランプ本体２３から外れたヘッド部材３０をクランプ本体２３へ装着する場合、渦巻きバネ部材４６の付勢力によって、着脱レバー４０が下方に押圧され、これに連動して係止部材１７はヘッド溝３９方向に突出している。しかし、ヘッド部材３０をクランプ本体２３に挿入すれば、ヘッド部材３０のヘッド部３２の曲面が係止爪１８の上面に当接し、渦巻きバネ部材４６の付勢力に抗して係止部材１７を後退させることができる。そのため、ヘッド部材３０をクランプ本体２３へ装着させる作業が簡単に行える。
【００４４】
また、前述したように係止部材１７は、着脱レバー４０が操作されることで、図２におけるヘッド部材３０の軸方向と直角な方向（矢印Ｘ方向）に平面部３２ｂに接触しながら移動が可能となっている。そして、係止爪１８が平面部３２ｂに接触している状態、すなわち、係止爪１８がヘッド溝３９に係止されている状態では、渦巻きバネ部材４６の付勢力によってヘッド部材３０が上方向（矢印Ｙ方向）への移動が規制され嵌合部２３ｆから脱出することを抑止している。
【００４５】
また、係止部材１７には、ストッパー１９が設けられている。このストッパー１９は、係止部材１７の上端面に固定されており、ヘッド部材３０を係止した状態においては、クランプ本体２３の周壁開口部２３ｃの直上部にストッパー片１９ａが当接されることになる。
すなわち、係止部材１７がスライド移動後に渦巻きバネ部材４６の付勢力によってヘッド溝３９に係止する際に、係止部材１７が周壁開口部２３ｃの内部に入り込んだ状態を防止するための機能を備えている。
【００４６】
（着脱レバー）
着脱レバー４０は、クランプ本体２３の後方側の突出壁部２３ｅの下方側に、横方向の支軸１７ｄに前後方向に回動するように設け、渦巻きバネ部材４６の支軸１７ｄに回動可能に軸支されるバネ側着脱部４０ａと、係止部材１７に連結ピンＰを介して連結される係止部材連結部４０ｂと、着脱レバー４０を操作する際に、操作者が指を引っ掛けて上下に操作するための後方に突出する指掛け部４０ｃとから構成されている。着脱レバー４０は、係止部材１７の進退方向を上下方向の回動運動から水平方向のスラスト運動に変更するための機能を有している。そして、指掛け部４０ｃを引き上げて着脱レバー４０を上側に回転させると、クランプ本体２３の着脱レバー４０の下方側に配した係止部材１７が後退し、ヘッド部材３０の係止が解除され、トリガーとして機能する。
【００４７】
係止部材連結部４０ｂは、連結ピン用開口部４１ｂを備えている。この連結ピン用開口部４１ｂに支持された連結ピンＰが長孔で形成された係止部材１７の孔１７ａに差し込まれ、連結ピンＰが孔１７ａに沿って移動可能な状態に遊嵌されて係止部材連結部４０ｂと係止部材１７が連結される。図にも示されているように、この孔１７ａの大きさは、連結ピンＰの直径よりも若干ながら大きく形成されており、また、係止部材１７の進退方向と交差する方向を長手方向とされている。これは、着脱レバー４０を操作した場合に、着脱レバー４０の回動動作を係止部材１７の直線方向の移動動作に換えるために着脱レバー４０と渦巻きバネ部材４６との動作がスムーズになるよう「あそび」を設けているからである。
なお、着脱レバー４０に連結ピンＰを設け、係止部材１７に長孔の孔１７ａを設けて着脱レバー４０と係止部材１７を連結したが、着脱レバー４０に長孔を設け、係止部材１７に連結ピンＰを取り付けて互いに遊嵌して連結しても良い。また、長孔は係止部材１７の進退方向と直角方向を長手方向とするほかに、係止部材１７の進退方向に対し、傾斜するように形成してもよく、また長孔は湾曲状に形成しても良い。
【００４８】
次に、本実施形態における着脱レバー４０及び係止部材１７の作用を説明する。
図１に示すように、置き竿状態においては渦巻きバネ部材４６の付勢力によって、着脱レバー４０が下方に回動し、連結ピン用開口部４１ｂおよび連結ピンＰを介して係止部材１７がヘッド溝３９に突出して係合する。このため、ヘッド部材３０が取付部材２０のクランプ本体２３から上方へ動くことはない。すなわち、取付部材２０が取り付けられた釣竿５０は、着脱機構１０に支持された状態を保つこととなる。
【００４９】
この状態から、釣り人が釣竿５０の支持状態を解除する場合には、まず、釣竿５０を握持するとともに、握持した手の指を着脱レバー４０の指掛け部４０ｃに引掛ける。
そして、釣り人が指掛け部４０ｃを引き上げて着脱レバー４０を、渦巻きバネ部材４６の付勢力よりも強い力で上側に回動させる。すると、着脱レバー４０の連結ピン用開口部４１ｂおよび連結ピンＰを介して係止部材１７がヘッド溝３９から離れる方向に移動する。すなわち、係止部材連結部４０ｂは、バネ側着脱部４０ａの回動動作に連動して支軸１７ｄを中心に回動するようにしてヘッド溝３９から離れる方向に移動し、その移動作用は、連結ピンＰを介して係止部材１７に伝達され、係止部材１７も矢印Ｘ方向にスライド移動する。
【００５０】
すると、ヘッド溝３９に係止されていた係止爪１８の係止が解除される。この解除によってヘッド部材３０が抑止されなくなるので上方に移動されていく。そして、クランプ本体２３とクランプユニット４との係止状態も解除されるのである。そして、釣り人は、着脱レバー４０を操作する手とは反対側の手で釣竿５０を持ち、クランプユニット４をクランプ本体２３から引き抜く。
【００５１】
すなわち、ヘッド部材３０をクランプ本体２３との嵌合を解除して取り外す方向がヘッド部材３０の軸方向であって、係止部材１７は、この軸方向と直角な方向に進退してヘッド部材３０に係合および係合を解除することで、係止部材１７の移動はヘッド部材３０の状態の影響が少なくなり、着脱レバー４０の操作で確実に移動させることができる。このため、魚の当たりを待っている状態では、係止部材１７をヘッド部材３０のヘッド溝３９に差し込んだ状態から船の振動等により係止部材１７のヘッド溝３９への係合が緩むことを解消し、また、魚が掛かった時は、魚が掛かった荷重に抗して着脱レバー４０をひいても、係止部材１７はヘッド溝３９から外れず、釣竿が取り外しにくくなることも解消される。
【００５２】
なお、釣り人がクランプ本体２３からクランプユニット４が完全に外れた状態で着脱レバー４０から指を離すと、係止部材１７は渦巻きバネ部材４６の付勢力によって再び元のクランプ本体２３の嵌合部２３ｆに向けて差し込まれた位置まで移動して復旧する。
【００５３】
また、図８でも示したように、従来は着脱レバー４０を引き上げ方向に回転させると、着脱レバー４０に一体成形された係止部材１７も同時に回転してしまう。このため、係止部材１７の支軸１７ｄと係止部材１７との位置関係によっては相互に干渉してしまうことになる。これを解消するためには、取付部材２０の下側取付部材２０ｂとクランプ本体２３との間にスラスト隙間を設ける必要があった。しかし、この隙間は使用中のガタつき発生の原因となっていた。そして、このガタによって各部の磨耗や緩みも生じてしまう原因にもなっていた。
【００５４】
しかし、本発明に係る釣竿の着脱機構では、係止部材１７をヘッド部材３０の軸方向と直角な方向に進退する部材とし、その進退を操作する着脱レバー４０を係止部材１７とは別部材として形成したので、従来技術にあるようなスラスト隙間を設けなくてもよい。このため、スラスト隙間の存在を原因とする使用中のガタつきは防止できる。これにより、釣りの最中、ガタによる振動なのか魚の当たりなのかの判別の容易化に寄与する。
【００５５】
また、従来では釣りの最中には必然的に釣竿５０を上方や斜め上方に引っ張り上げる動作が多くなるので、クランプユニット４側にも引張力が負荷されることになる。つまり、係止部材１７に釣竿５０を持ち上げるための垂直方向の力が作用してしまう。そして、係止部材１７が回転移動すると、上方向の大きな負荷や繰り返しの振動によってクランプユニット４が意図せずにクランプ本体２３から外れてしまうおそれがあった。
【００５６】
しかし、本発明に係る釣竿の着脱機構では、係止部材１７は、スライド移動するように形成されているので、クランプユニット４の引張力に応じて意図せずに動いてしまうことがない。このため、大きな負荷や繰り返しの振動などによって、クランプユニット４がクランプ本体２３から外れてしまうことが低減される。
【００５７】
また、係止部材１７は、クランプ本体２３の周壁開口部２３ｃにほとんど隙間なく差し込まれているのでガタが少ない。また、係止爪１８が楔形状に形成され、ヘッド部材３０のヘッド溝３９の形状にフィットするよう形成されている。このため、ヘッド部材３０に係止部材１７が係止されている状態では、ほとんど隙間のない構造となっている。これにより、ガタつきの発生をさらに低減することができる。さらに、クランプ本体２３の後方側にて上方に着脱レバー４０を設け、その下方に係止部材１７を設け上下に同列に配置したため、着脱レバー４０の動作による係止部材１７への力の伝達が効率的で軽快な動作が可能となり、釣り人の操作性も向上する。
【００５８】
（第二実施形態）
次に、図５および図６を参照して本発明の第二実施形態を示す。図５は、取付部材２０とクランプ本体２３Ｂが一体成型された形態を示す正面断面図であり、図６は、ヘッド部材３０Ｂからクランプ本体２３Ｂが外れた状態を示した図である。
【００５９】
まず、第一実施形態の着脱機構１０と本実施形態の着脱機構１０Ｂとの相違点について説明する。
第一実施形態における着脱機構１０は、下側取付部材２０ｂにヘッド部材３０が固定されており、ヘッド部材３０の係止が解除されることでクランプ４及びヘッド部材３０がクランプ本体２３から着脱される構成である。一方、本実施形態の着脱機構１０Ｂでは、下側取付部材２０ｂとクランプ本体２３Ｂが連続成型されており、ヘッド部材３０Ｂが装着部１１に固定された構成となっている。すなわち、ヘッド部材３０Ｂが下側取付部材２０ｂに固定されているのではなく、装着部１１に固定されているかの点で異なる。また、ヘッド部材３０Ｂの向きは、第一実施形態のヘッド部材３０とは上下逆になっている。なお、第一実施形態の着脱機構１０と同一の構成となっている部分については符号を同一とし、説明は省略するものとする。
【００６０】
図５および図６に示すように、ヘッド部材３０Ｂは、装着部１１の装着部上面１１ａからクランプ本体２３側に向かって上方に突出し、基端部３１とその基端部３１に連続し、基端部３１の直径よりも幅狭に形成されたリンク部３３と、そのリンク部３３から第二リンク部３４及び第三リンク部３５を介して固定されるヘッド部３２とを備えて構成されている。
【００６１】
基端部３１は、リンク部３３に向かってテーパ状に形成されたテーパ部３１ａを有してリンク部３３に連続されている。ヘッド部３２は、半円状の弧を有する半円部３２ａと、その半円部３２ａの弧とは反対側のリンク部３３に固定される平面部３２ｂとから構成され、全体として略半円球体に形成されている。
【００６２】
リンク部３３は、リンク部３３から連続した第二リンク部３４と、その第二リンク部３４から第二テーパ部３４ａを介して連続した第三リンク部３５とがヘッド部３２に連結され、基端部３１とヘッド部３２との間を繋ぐ部材として形成されており、全体としてヘッド部材３０Ｂのヘッド溝３９をなす。そして、このヘッド溝３９に係止部材１７が係止されることでクランプ４Ｂの上方への移動を抑止している。
係止部材１７は、第一実施形態に示した係止部材１７とは上下反対向きに設置されている。これは、ヘッド部材３０Ｂが装着部１１側に固定されているからである。
【００６３】
本実施形態の作用としては、次のようになる。
まず、置き竿状態においては渦巻きバネ部材４６の付勢力によって、着脱レバー４０が下方に回動し、連結ピン用開口部４１ｂおよび連結ピンＰを介して係止部材１７がヘッド溝３９に突出して係合する。このため、クランプ本体２３がヘッド部材３０Ｂから上方へ動くことはない。すなわち、取付部材２０が取り付けられた釣竿５０は、着脱機構１０に支持された状態を保つこととなる。
【００６４】
この状態から、釣り人が釣竿５０の支持状態を解除する場合には、まず、釣竿５０を握持するとともに、握持した手の指を着脱レバー４０の指掛け部４０ｃに引掛ける。
そして、釣り人が指掛け部４０ｃを引き上げて着脱レバー４０を、渦巻きバネ部材４６の付勢力よりも強い力で上方に回動させる。すると、着脱レバー４０の連結ピン用開口部４１ｂおよび連結ピンＰを介して係止部材１７がヘッド溝３９から離れる方向に移動する。すなわち、係止部材連結部４０ｂは、バネ側着脱部４０ａの回動動作に連動して支軸１７ｄを中心に回動するようにしてヘッド溝３９から離れる方向に移動し、その移動作用は、連結ピンＰを介して係止部材１７に伝達され、係止部材１７も矢印Ｘ方向にスライド移動する。
【００６５】
すると、ヘッド溝３９に係止されていた係止爪１８の係止が解除される。この解除によってヘッド部材３０が抑止されなくなるので上方に移動されていく。そして、ヘッド部材３０Ｂとクランプユニット４Ｂとの係止状態も解除されるのである。そして、釣り人は、着脱レバー４０を操作する手とは反対側の手で釣竿５０を持ち、クランプユニット４Ｂをクランプ本体２３Ｂから引き抜く。  
【００６６】
ヘッド部材３０Ｂは、装着部１１側に固定されているので、図６に示すように、クランプ本体２３Ｂの下側開口部２３ｄから外れることになる。
なお、釣り人がヘッド部材３０Ｂからクランプユニット４Ｂが完全に外れた状態で着脱レバー４０から指を離すと、係止部材１７は渦巻きバネ部材４６の付勢力によって再び元のクランプ本体２３Ｂの嵌合部２３ｆに向けて差し込まれた位置まで移動して復旧する。
【００６７】
すなわち、係止部材１７をヘッド部材３０Ｂの軸方向と直角な方向に進退する部材とし、その進退を操作する着脱レバー４０を係止部材１７とは別部材として形成したので、従来技術にあるようなスラスト隙間を設けなくてもよい。このため、スラスト隙間の存在を原因とする使用中のガタつきは防止できる。これにより、釣りの最中、ガタによる振動なのか魚の当たりなのかの判別の容易化に寄与する。
また、ヘッド部材３０Ｂに複数のテーパ部３１ａ、３４ａを設けたことで、係止爪１８の形状にフィットするため、さらにガタつきを低減させることができる。なお、図示は省略するが、係止爪１８には各テーパ部３１ａ、３４ａや第二リンク部３４及び第三リンク部３５に係合する形状となっている。
【００６８】
（第三実施形態）
次に、図７を参照して本発明の第三実施形態を示す。図７は、着脱機構１０Ｃの全体構造を示した図である。着脱機構１０Ｃは、装着部１１（図示は表示しない）に固定されたクランプ本体２３と、釣竿５０を挟んで保持する取付部材２０とからなり、この取付部材２０にクランプ本体２３に着脱可能なヘッド部材３０が固定されている点は、前述した第一実施形態と同様である。しかしながら、着脱レバー４０を回転させることで係止部材１７がスライドしてヘッド部材３０の係止を解除する構造ではなく、着脱レバー４０Ｅを上下方向（垂直方向）にスライドさせることで、係止部材１７Ｃがスライドしてヘッド部材３０からの係止を解除する構造となっている点で上述した第一実施形態とは異なる。
【００６９】
クランプ本体２３は、正面視ではヘッド部材３０を内部に保持可能な周壁２４と、その周壁２４に連続した底壁２５からなる。また、底壁２５の対向側には上側開口部２３ａを備え、この上側開口部２３ａの開口を介してヘッド部材３０が着脱されることになる。周壁２４には周壁開口部２３ｃを備え、底壁２５には下側開口部２３ｄを備えている。
【００７０】
着脱レバー４０Ｅは、レバー用長孔４０ｄを有するバネ側着脱部４０ａと、係止部材１７Ｃに連結される連結ピンＰを有する係止部材連結部４０ｂと、着脱レバー４０Ｅを操作する際に、操作者が指を下側から支持して上側にスライド操作可能な指掛け部４０ｃとから構成され、係止部材１７のヘッド部材３０の軸方向と直角な方向に変更するための機能を有している。
【００７１】
また、バネ側着脱部４０ａとバネ取付部材４５との間には連結バネ部材４６Ｃが連結されている。この連結バネ部材４６Ｃは、着脱レバー４０Ｅの外力に応じて上下に伸縮自在となっており、バネ側着脱部４０ａのレバー用長孔４０ｄにビス等によって接続されている。
レバー用長孔４０ｄは、正面視で垂直方向に長く延びた楕円状の開口部であって、着脱レバー４０Ｅをスライドさせた際の移動可能な距離である可動可能範囲４７にほぼ等しい長さに形成されている。この可動可能範囲４７は、着脱レバー４０Ｅを垂直方向へスライド移動させることで、ヘッド部材３０の係止状態が解除されるまでの範囲に設定されている。
【００７２】
係止部材連結部４０ｂは、連結ピン用開口部４１ｂを備えている。この連結ピン用開口部４１ｂに支持された連結ピンＰが長孔で形成された係止部材１７Ｃの孔１７ｂに差し込まれ、連結ピンＰが孔１７ｂに沿って移動が可能な状態に遊嵌されて、係止部材連結部４０ｂと係止部材１７Ｃが連結される。また、長孔１７ｂは、着脱レバー４０Ｅを垂直方向へスライドさせると、連結ピンＰが長孔１７ｄ内を孔に沿って斜めに移動する。そして、連結ピンＰを介して係止部材１７Ｃに伝達される。
【００７３】
本実施形態の作用としては、次のようになる。
まず、置き竿状態では、連結バネ部材４６Ｃの付勢力によって、着脱レバー４０Ｅが下方にスライドし、係止部材１７Ｃの係止爪１８が突出しヘッド溝３９に係合する。このため、ヘッド部材３０が取付部材２０のクランプ本体２３から上方へ動くことはない。すなわち、取付部材２０が取り付けられた釣竿５０は、着脱機構１０Ｃに支持された状態を保つこととなる。
【００７４】
この状態から、釣竿５０の支持状態を解除する場合には、まず、釣竿５０を握持するとともに、握持した手の指を着脱レバー４０Ｃの指掛け部４０ｃに引掛ける。
そして、釣り人が指掛け部４０ｃを引き上げて着脱レバー４０を、渦巻きバネ部材４６の付勢力よりも強い力で垂直方向にスライドさせる。すると、着脱レバー４０Ｅの連結ピン用開口部４１ｂおよび連結ピンＰを介して係止部材１７がヘッド溝３９から離れる方向に移動する。すなわち、係止部材連結部４０ｂは、バネ側着脱部４０ａのスライド動作に連動して上方向（矢印Ｙ方向）に移動し、その移動作用は、連結ピンＰを介して係止部材１７に伝達され、係止部材１７は、ヘッド部材３０の軸方向と直角な方向（矢印Ｘ方向）にスライド移動する。
【００７５】
すると、ヘッド溝３９に係止されていた係止爪１８の係止が解除される。この解除によってヘッド部材３０が抑止されなくなるので上方に移動が可能となる。そして、クランプ本体２３とクランプユニット４Ｃとの係止状態も解除されるのである。そして、釣り人は、着脱レバー４０を操作する手とは反対側の手で釣竿５０を持ち、クランプユニット４Ｃをクランプ本体２３から引き抜く。
【００７６】
なお、クランプ本体２３からクランプユニット４Ｃが完全に外れた状態で着脱レバー４０Ｅから指を離すと、係止部材１７Ｃは連結バネ部材４６Ｃの付勢力によって再び元の位置までスライドして復旧する。
【００７７】
すなわち、着脱レバー４０Ｅはスライド式によって動作可能となっている。このため、着脱レバーを回転させるための支軸の位置関係によって緩衝するおそれがないので、従来のように下側取付部材２０ｂとクランプ本体２３との間に着脱に必要なスラスト隙間を設ける必要がなくなる。
さらに、着脱レバー４０Ｅをスライド式とすれば、釣竿を握持して真上へ抜き上げる動作に連動して係止を解除することができるので、軽快な動作が可能となる。
なお、本実施形態に係る連結バネ部材４６Ｃは、着脱レバー４０に当接して付勢力を与えたが、係止部材１７、１７Ｃに当接して係止部材１７、１７Ｃに付勢力を与えるようにしてもよい。
【００７８】
図８（ａ）、（ｂ）は、着脱機構１０Ｄにおける案内溝１８ｃの構造を示した図である。
係止部材１７の先端側の上方に先端側になるにつれて下りとなる傾斜面からなる係止爪テーパ１８ａが形成されている。この係止爪テーパ１８ａは、クランプ本体２３の嵌合部２３ｆにヘッド部材３０を差し込んだ時にヘッド部材３０のヘッド部３２が当接し、係止部材１７を後退させることができ、着脱レバー４０を操作しなくても係止部材１７をヘッド溝３９に係合させることができる。
【００７９】
図８に示すように、この係止爪テーパ１８ａはさらに先端に向けて幅と深さが徐々に大きくなる案内溝１８ｃを有している。係止爪テーパ１８ａに当接したヘッド部３２の半円部３２ａがこの案内溝１８ｃに広く当接し、ヘッド部材３０が差し込まれるにつれて、案内溝１８ｃまたは、案内溝１８ｃの両側の縁部に摺接しながら係止部材１７を後退させる。
このため、案内溝１８ｃは、半円部３２ａに合致して当接するように湾曲面で形成されている。したがって、ヘッド部３２の半円部３２ａが安定して係止部材１７を押圧し、少ない力でヘッド部材３０をクランプ本体２３の嵌合部２３ｆに嵌合することができる。
【図面の簡単な説明】
【００８０】
【図１】釣竿支持装置の全体構造を示した正面図である。
【図２】着脱機構が連結状態の形態を示した正面断面図である。
【図３】クランプユニットがクランプ本体から外れた形態を示した正面断面図である。
【図４】ヘッド部材と係止部材がヘッド溝で接地された状態を示した部分拡大図である。
【図５】第二実施形態の着脱機構について説明した図であり、クランプユニットとクランプ本体が一体成型された形態を示した正面断面図である。
【図６】第二実施形態の着脱機構について説明した図であり、ヘッド部材からクランプユニットが外れた形態を示した正面断面図である。
【図７】第三実施形態の着脱機構を示した正面断面図である。
【図８】着脱機構における案内溝の構造を示した図であり、（ａ）は着脱機構全体図、（ｂ）は係止爪テーパ及び案内溝を示した図である。
【図９】従来のクランプ構造（着脱機構）を示した図である。
【符号の説明】
【００８１】
１  釣竿支持装置            ２  装置本体  
３  基台                    ４、４Ｂ  クランプユニット
７  万力                    １０、１０Ｂ、１０Ｃ、１０Ｄ  着脱機構
１１  装着部                １１ａ  装着部上面
１３  腕部
１５  竿受部                １７、１７Ｃ  係止部材
１７ａ  孔                  １７ｂ  長孔
１７ｄ  支軸  
１８  係止爪                １８ａ  係止爪テーパ
１８ｂ  係止爪底辺          １８ｃ  案内溝
１９  ストッパー            １９ａ  ストッパー片
２０  取付部材              ２０ａ  上側取付部材
２０ｂ  下側取付部材
２１  ナット部材            ２２  螺子杆
２３、２３Ｂ、２３Ｃ  クランプ本体
２３ａ  上側開口部          ２３ｂ  内壁
２３ｃ  周壁開口部          ２３ｄ  下側開口部
２３ｅ  突出壁部            ２３ｆ  嵌合部
２４  周壁                  ２５  底壁
２６ａ、２６ｂ  下側取付部材接地面  
３０、３０Ｂ、３０Ｃ  ヘッド部材
３１  基端部                ３１ａ  テーパ
３２  ヘッド部              ３２ａ  半円部
３２ｂ  平面部
３３  リンク部              ３４  第二リンク部
３４ａ  第二テーパ部        ３５  第三リンク部
３９  ヘッド溝              ４０  着脱レバー
４０ａ  バネ側着脱部        ４０ｂ  係止部材連結部
４０ｃ  指掛け部            ４０ｄ  長孔
４１ｂ  連結ピン用開口部  
４５  バネ取付部材          ４６  渦巻きバネ部材
４６Ｃ  連結バネ部材        ４７  可動可能範囲
５０  釣竿                  ８０  船縁
Ｐ  連結ピン
【図１】
2007236349.tif 000003
【図２】
2007236349.tif 000004
【図３】
2007236349.tif 000005
【図４】
2007236349.tif 000006
【図５】
2007236349.tif 000007
【図６】
2007236349.tif 000008
【図７】
2007236349.tif 000009
【図８】
2007236349.tif 000010
【図９】
2007236349.tif 000011